(57)【要約】【課題】槽体の排水口や取付口付近に排水中の汚物や異物が付着しない、槽体の排水口や取付口付近の外観視が良い、槽体の排水口や取付口付近の清掃性が良い、円形以外の形状の排水器具や操作部とすることができる接続構造であること。【解決手段】排水を貯水する槽体１と、槽体１に開口された槽体１内の排水を外部に排出する排水口２と、排水口２裏面に取り付けられて下流の排水管と接続して槽体１内の排水を下流へと排出する排水器具４と、から構成される接続構造において、前記排水口２の裏面にねじ孔６を適宜箇所に構成し、尚かつ排水器具４にもねじ孔６を開口して、両者を排水口２裏面側からねじ止めにて接続する接続構造とした。【選択図】  図１
2008240258.tif 000002
【特許請求の範囲】
【請求項１】
排水を貯水する槽体１と、
槽体１に開口された槽体１内の排水を外部に排出する排水口２と、
排水口２裏面に取り付けられて下流の排水管と接続して槽体１内の排水を下流へと排出する排水器具４と、
から構成される接続構造において、
前記排水口２の裏面にねじ孔６を適宜箇所に構成し、尚かつ排水器具４にもねじ孔６を開口して、両者を排水口２裏面側からねじ止めにて接続したことを特徴とする接続構造。
【請求項２】
前記槽体１裏面の排水口２周縁は、ねじしろ分の厚みを備えてねじ孔６を構成すると共に、排水器具４は上縁に外側方向に凸出するフランジ部９を構成して当該フランジ部９にねじ孔６を開口したことを特徴とする前記請求項１に記載の接続構造。
【請求項３】
前記排水器具４が、流し台１４に用いられることを特徴とする前記請求項１又は請求項２に記載の接続方法。
【請求項４】
前記排水器具４が、洗面台２４に用いられることを特徴とする前記請求項１又は請求項２に記載の接続構造。
【請求項５】
前記排水器具４が、浴室に用いられることを特徴とする前記請求項１又は請求項２に記載の接続構造。
【請求項６】
前記排水器具４を多角形状としたことを特徴とする前記請求項１乃至請求項５のいずれか一つに記載の接続構造。
【請求項７】
前記排水器具４の上面に、位置決め用ガイド８を凸設したことを特徴とする前記請求項１乃至請求項６いずれか一つに記載の接続構造。
【請求項８】
排水を貯水する槽体１と、
槽体１の適宜箇所に開口された取付口３と、
槽体１に開口された槽体１内の排水を外部に排出する排水口２と、
排水口２内に配置され、排水口２の開口及び閉口を行う弁体２４、槽体１の取付口３に取付られ、弁体２４を遠隔的に操作する操作部５、前記弁体２４と操作部５を介して、操作部５の操作を弁体２４に伝達するレリースワイヤ１７、から構成される遠隔操作式排水栓装置１６と、
から構成される接続構造において、
前記取付口３の裏面にねじ孔６を適宜箇所に構成し、尚かつ操作部５にもねじ孔６を開口して、両者を取付口３裏面側からねじ止めにて接続したことを特徴とする接続構造。
【請求項９】
前記操作部５は、軸部２０と、軸部２０をガイドする軸受け部２２と、から構成されるとともに、軸受け部２２上端部には取付口３の肉厚程度の長さを有した飛び出し部、軸受け部２２外周面から外側方向に凸出して構成されるフランジ部９、フランジ部９に開口したねじ孔６部、から構成されていることを特徴とする前記請求項８に記載の接続構造。
【請求項１０】
前記操作部５を多角形状としたことを特徴とする前記請求項８又は請求項９のいずれか一つに記載の接続構造。
【請求項１１】
前記操作部５の上面に、位置決め用ガイド８を凸設したことを特徴とする前記請求項８乃至請求項１０のいずれか一つに記載の接続構造。
【請求項１２】
前記槽体１は合成樹脂製であることを特徴とする前記請求項１乃至請求項１１のいずれか一つに記載の接続構造。
【発明の詳細な説明】
【技術分野】
【０００１】
本発明は、生活機器から発生する排水に関連する部品の接続構造に関するものである。
【背景技術】
【０００２】
従来よく知られた、接続構造に関しては、例えば図７又は図８に図示した流し台に用いられる接続構造がある。以下に図７又は図８に図示した流し台に用いられる接続構造の従来例を、図面を参照しつつ説明する。
図７又は図８の従来例の接続構造は、以下に記載する台所の流し台において用いられる。
本従来例の排水部品は、流し台と、槽体と、排水口と、排水器具と、排水トラップと、ナット部材と、排水管と、から構成される。
流し台は、台所に備えられる生活機器であって、その上面に後記する槽体を備える箱体であって、箱体内部には洗剤や鍋などを収納するキャビネットを備え、キャビネット内に挿通する扉を備える。
槽体は流し台上面に備えられるステンレス製の上部が開口した箱体であって、槽体の上部に備えられた水道蛇口からの水を貯水／排水する部材である。
排水口は、槽体底面に開口されるとともに、後記する排水器具を取り付ける孔であり、槽体内部の排水を最終的には下水へと排水されるように構成されて成る。
排水器具は、排水口に取り付けられる部材であって、外側方向に凸出して構成されるフランジ部と、その外周に螺設した雄ねじを構成して成る。また、槽体内の排水を下流に接続する排水トラップや排水管へと排出する部材である。
排水トラップは、内部に排水を貯水して下水からの臭気や害虫を室内側へと逆流することを防止する封水を備えるＵ字状の管体であり、上流は前記排水器具に接続され、下流は後述する排水管を接続する。
ナット部材は、外側方向に凸出したフランジ部を構成した環状の部材であって、内周面に雌ねじを構成している。尚、当該雌ねじは排水器具の雄ねじと螺合する。
排水管は、排水トラップの下流に接続される管体であって、最終的には下水管へ接続される。
【０００３】
本従来例の排水器具の接続構造は以下のように接続される。
図７に示したように、槽体の排水口に排水器具を上方から挿通し、排水器具のフランジ部を水密部材を介して排水口に係止させ、槽体の下方裏面からナット部材をの雌ねじ部を排水器具外周の雌ねじに螺合させ、ナット部材と排水器具のフランジ部により排水口を挟むことで取り付ける。そうすることで、槽体の排水口に排水器具が強固に取り付けられる。
【０００４】
本従来例の排水器具の接続構造は以下のような排水の流れとなる。
槽体内に発生した排水は、槽体の排水口から排水器具内に流入し、そのまま排水トラップの封水を介して排出口から排水器具の外部に排出され、排水管を介して下水管へと排出される。
【０００５】
次に、従来よく知られた接続構造に関しては、例えば図９又は図１０に図示した洗面台における接続構造がある。以下に図９又は図１０に図示した洗面台の接続構造の従来例を、図面を参照しつつ説明する。
図９又は図１０の従来例の接続構造は、以下に記載する洗面台において用いられる。
本従来例の排水部品は、洗面台と、槽体と、排水口と、排水栓と、取付口と、遠隔操作式排水栓装置と、排水器具と、排水管と、から構成される。
洗面台は、洗面所に備えられる生活機器であって、その上面に後記する槽体を備える箱体であって、箱体内部には洗剤などを収納するキャビネットを備え、キャビネット内に挿通する扉を備える。
槽体は洗面台上面に備えられる陶器製の上部が開口した箱体であって、槽体の上部に備えられた水道蛇口からの水を貯水／排水する部材である。
排水口は、槽体底面に開口された孔であって、槽体内の排水を外部に排出するための開口である。また、後記する排水栓を内部に備える。
排水栓は、排水口に取り付けられる部材であり、その下端に後記する排水管が接続される。
取付口は、槽体の上縁に開口された孔であり、後記する遠隔操作式排水栓装置の操作部が取り付けられる。
遠隔操作式排水栓装置は、弁体、操作部、レリースワイヤー、から構成される。
弁体は、排水口内部に備えられ、自身の上下作動により排水口を開栓／閉栓する部材である。
操作部は、軸部と、ツマミ部と、軸受け部と、フランジ部と、ナット部と、から構成されている。
軸部は、棒状であって、使用者が作動させるツマミ部をその上端に備える。
軸受け部は、前記軸部を上下動可能に収納する縁筒状の部材であり、その外周に雄ねじを螺設して成る。
フランジ部は、軸受け部上端に構成される外側方向に凸出して構成される鍔状の部材であり、本従来例では軸受け部に一体的に構成される。
ナット部材は、上端に鍔状のフランジ部を外側方向に突出して構成された断面視Ｌ字状の環状部材であり、その内周面に前記した軸受け部の雄ねじと螺合する雌ねじを螺設して成る。
レリースワイヤは、円筒状のアウターチューブと、アウターチューブ内を摺動可能に配置される、金属製の圧縮コイルのインナーワイヤから構成される。そして、当該レリースワイヤの一端は操作部の軸部下端に接続され、他方の端部は排水栓若しくは排水管を水密的に介して弁体下方に接続される。そして、インナーワイヤの端部は操作部の軸部と、弁体下方にそれぞれ連絡されているので、操作部の軸の動きによりインナーワイヤが軸部の作用に併せて連絡するように作動し、そのまま弁体下方に動きが伝達されるので、インナーワイヤの作動に併せて弁体が上下動するように構成される。
排水管は、排水栓に接続される管体であって途中箇所にその管体をＵ字状に屈曲させて、その内部に封水と呼ばれる排水を一時排水トラップと呼ばれる、内部に排水を貯水して下水からの臭気や害虫を室内側へと逆流することを防止する封水を備える排水トラップを構成している。
【０００６】
本従来例の接続構造は以下のように取り付けられる。
図１０に示したように、槽体の排水口に排水栓を付け、排水栓の下流には排水管及び排水トラップを接続する。
そして、操作部の軸受け部を、軸部が内部に備えられた状態で、槽体の取付口に上方から挿通させ、軸受け部のフランジ部を取付口に係止させる。また、槽体の下方裏面から、軸受け部の雄ねじにナット部材の雌ねじを螺合させ、両者を締め付け固定させる。そうすると、軸受け部のフランジ部とナット部材のフランジ部が取付口周縁を挟むことで取り付ける。そうすることで、槽体の取付口に操作部が強固に取り付けられる。
また、操作部下端にレリースワイヤの一端を接続し、他端を排水管を介して弁体下方に接続する。このとき、インナーワイヤは軸部下端及び弁体と直接的若しくは間接的に連絡するように接続される。
【０００７】
本従来例の接続構造は以下のような排水の流れとなる。
槽体内に発生した排水は、槽体の排水口から排水栓内に流入し、そのまま排水管を経て排水トラップ内に流入する。排水トラップ内に流入した排水は、排水トラップの封水を介して最終的には下水管へと排出される。
また、本従来例の遠隔操作式排水栓装置は以下のような作動となる。
操作部の、ツマミが備えられた軸部の上下動をインナーワイヤが直接的若しくは間接的に弁体に伝達し、弁体が下降する。この時、排水口は弁体により閉口されている為、槽体内に貯水を行うことが可能である。この状態の時に再度操作部に使用者が操作を加えると、再度操作部の軸部の上下動がインナーワイヤにより直接的若しくは間接的に弁体に伝達し、弁体が上昇することにより排水口が開口され、槽体内の排水は排水口から排水管へと排出される。このようにして遠隔操作式排水栓装置は作動・作用する。
【０００８】
【特許文献１】特開２００２−８８８５０号公報
【特許文献２】特開２００６−１９４０１７号公報
【発明の開示】
【発明が解決しようとする課題】
【０００９】
従来例のような接続構造は、以下のような問題点があった。
従来の接続構造は、槽体の排水口若しくは取付口に排水器具若しくは操作部の軸受け部のフランジ部を係止させなければばらないので、どうしても槽体の排水口若しくは取付口周辺にフランジ部の段差が発生してしまう。当該段差は一般的に汚水である汚物や異物が混入している排水に晒されてしまうと段差部分に排水中の異物や汚物が引っ掛かってしまうことで汚れが付着してしまい、非常に汚らしい。
また、槽体の排水口や取付口は、使用者の見た目に付きやすいので、当該段差に付着した汚れは外観視が非常に悪かった。
また、槽体の排水口や取付口とフランジ部の段差は非常に狭く、汚れや汚物が付着したからといって清掃をしようとしても、その隙間は狭く指などが入りづらい。従って、非常に清掃性が悪かった。
また、排水口若しくは取付口と排水器具若しくは操作部はねじ螺合により接続しているため、円筒状でないと接続することが出来なかった。
【００１０】
従って、本発明の接続構造は、以下の課題を解決するために発明された。
１．槽体の排水口や取付口付近に排水中の汚物や異物が付着しない接続構造。
２．槽体の排水口や取付口付近の外観視が良い接続構造。
３．槽体の排水口や取付口付近の清掃性が良い接続構造。
４．円形以外の形状の排水器具や操作部とすることができる接続構造。
【課題を解決するための手段】
【００１１】
請求項１に記載の本発明は、排水を貯水する槽体１と、槽体１に開口された槽体１内の排水を外部に排出する排水口２と、排水口２裏面に取り付けられて下流の排水管と接続して槽体１内の排水を下流へと排出する排水器具４と、から構成される接続構造において、前記排水口２の裏面にねじ孔６を適宜箇所に構成し、尚かつ排水器具４にもねじ孔６を開口して、両者を排水口２裏面側からねじ止めにて接続したことを特徴とする接続構造である。
【００１２】
請求項２に記載の本発明は、前記槽体１裏面の排水口２周縁は、ねじしろ分の厚みを備えてねじ孔６を構成すると共に、排水器具４は上縁に外側方向に凸出するフランジ部９を構成して当該フランジ部９にねじ孔６を開口したことを特徴とする前記段落００１１に記載の接続構造である。
【００１３】
請求項３に記載の本発明は、前記排水器具４が、流し台１４に用いられることを特徴とする前記段落００１１乃至段落００１２に記載の接続方法である。
【００１４】
請求項４に記載の本発明は、前記排水器具４が、洗面台２４に用いられることを特徴とする前記段落００１１乃至段落００１２に記載の接続構造である。
【００１５】
請求項５に記載の本発明は、前記排水器具４が、浴室に用いられることを特徴とする前記段落００１１乃至段落００１２に記載の接続構造である。
【００１６】
請求項６に記載の本発明は、前記排水器具４を多角形状としたことを特徴とする前記段落００１１乃至段落００１５のいずれか一つに記載の接続構造である。
【００１７】
請求項７に記載の本発明は、前記排水器具４の上面に、位置決め用ガイド８を凸設したことを特徴とする前記段落００１１乃至段落００１６のいずれか一つに記載の接続構造である。
【００１８】
請求項８に記載の本発明は、排水を貯水する槽体１と、槽体１の適宜箇所に開口された取付口３と、槽体１に開口された槽体１内の排水を外部に排出する排水口２と、排水口２内に配置され、排水口２の開口及び閉口を行う弁体２４、槽体１の取付口３に取付られ、弁体２４を遠隔的に操作する操作部５、前記弁体２４と操作部５を介して、操作部５の操作を弁体２４に伝達するレリースワイヤ１７、から構成される遠隔操作式排水栓装置１６と、
から構成される接続構造において、前記取付口３の裏面にねじ孔６を適宜箇所に構成し、尚かつ操作部５にもねじ孔６を開口して、両者を取付口３裏面側からねじ止めにて接続したことを特徴とする接続構造である。
【００１９】
請求項９に記載の本発明は、前記操作部５は、軸部２０と、軸部２０をガイドする軸受け部２２と、から構成されるとともに、軸受け部２２上端部には取付口３の肉厚程度の長さを有した飛び出し部、軸受け部２２外周面から外側方向に凸出して構成されるフランジ部９、フランジ部９に開口したねじ孔６部、から構成されていることを特徴とする前記段落００１８に記載の接続構造である。
【００２０】
請求項１０に記載の本発明は、前記操作部５を多角形状としたことを特徴とする前記段落００１８又は段落００１９のいずれか一つに記載の接続構造である。
【００２１】
請求項１１に記載の本発明は、前記操作部５の上面に、位置決め用ガイド８を凸設したことを特徴とする前記段落００１８乃至段落００２０のいずれか一つに記載の接続構造である。
【００２２】
請求項１２に記載の本発明は、前記槽体１が合成樹脂製であることを特徴とする前記段落００１１乃至段落００２１のいずれか一つに記載の接続構造である。
【発明の効果】
【００２３】
本発明の接続構造は、以下の効果を奏する。
請求項１に記載の本発明は、排水口２の裏面にねじ孔６を適宜箇所に構成し、尚かつ排水器具４にもねじ孔６を開口して、両者を排水口２裏面側からねじ止めにて接続したことから、槽体１の排水口２付近にフランジ部９などの段差や継ぎ目が無くなり、排水中の汚れなどの付着が防止され、結果的には槽体１の排水口２付近に段差無く、更には汚れが付着しにくいことから外観視が非常に良くなった。また、排水口２付近に段差が無いので、使用者が槽体１排水口２の掃除がしやすくなった。
請求項２に記載の本発明は、前記槽体１裏面の排水口２周縁は、ねじしろ分の厚みを備えてねじ孔６を構成すると共に、排水器具４は上縁に外側方向に凸出するフランジ部９を構成して当該フランジ部９にねじ孔６を開口したことから、ねじ部分が槽体１の外面に露出することがないので、槽体１の排水口２付近にねじ孔６やフランジ部９などの段差などが発生しないので、非常に外観が良くなった。また、排水口２付近に段差が無いので、使用者が槽体１排水口２の掃除がしやすくなった。
請求項３に記載の本発明は、排水器具４が、流し台１４に用いられることから、厨芥などの排水中のゴミや異物が多い台所においても排水口２に汚物や異物が付着せず、尚かつ排水口２付近の清掃性が良い上、排水口２付近の外観視が非常に良くなった。
請求項４に記載の本発明は、排水器具４が、洗面台２５に用いられることから、髪の毛などの排水中のゴミや異物が多い洗面台２５においても排水口２に汚物や異物が付着せず、尚かつ排水口２付近の清掃性が良い上、排水口２付近の外観視が非常に良くなった。
請求項５に記載の本発明は、排水器具４が、浴室に用いられることから、石鹸カスや髪の毛などの排水中のゴミや異物が多い浴室においても排水口２に汚物や異物が付着せず、尚かつ排水口２付近の清掃性が良い上、排水口２付近の外観視が非常に良くなった。
請求項６に記載の本発明は、排水器具４を多角形状としたことから、排水口２の意匠性が向上した。
請求項７に記載の本発明は、排水器具４の上面に位置決め用ガイド８を凸設したことから、ねじ孔６にねじ６ａを螺合させる際の位置決めを行うことが出来、わざわざ排水口２裏面のねじ孔６に排水器具４のねじ孔６の位置合わせを行わなくても良くなり、非常に施工性が向上した。
請求項８に記載の本発明は、取付口３の裏面にねじ孔６を適宜箇所に構成し、尚かつ操作部５にもねじ孔６を開口して、両者を取付口３裏面側からねじ止めにて接続したことから、槽体１の取付口３付近にフランジ部９などの段差や継ぎ目が無くなり、排水中の汚れなどの付着が防止され、結果的には槽体１の取付口３付近に段差無く、更には汚れが付着しにくいことから外観視が非常に良くなった。また、取付口３付近に段差が無いので、使用者が取付口３の掃除がしやすくなった。
請求項９に記載の本発明は、操作部５は、軸部２０と、軸部２０をガイドする軸受け部２２と、から構成されるとともに、軸受け部２２上端部には取付口３の肉厚程度の長さを有した飛び出し部、軸受け部２２外周面から外側方向に凸出して構成されるフランジ部９、フランジ部９に開口したねじ孔６、から構成されていることから、ねじ６ａ部分が槽体１の外面に露出することがないので、槽体１の取付口３付近にねじ孔６やフランジ部９などの段差などが発生しないので、非常に外観が良くなった。また、取付口３付近に段差が無いので、使用者が槽体１取付口３の掃除がしやすくなった。
請求項１０に記載の本発明は、操作部５を多角形状としたことから、取付口３の意匠性が向上した。
請求項１１に記載の本発明は、操作部５の上面に位置決め用ガイド８を凸設したことから、ねじ孔６にねじ６ａを螺合させる際の位置決めを行うことが出来、わざわざ取付口３裏面のねじ孔６に操作部５ののねじ孔６の位置合わせを行わなくても良くなり、非常に施工性が向上した。
請求項１２に記載の本発明は、槽体１は合成樹脂製であることから、ねじ孔６の構成などが用意に成型することが出来るようになった。
【実施例】
【００２４】
以下に本発明の第１実施例を、図面を参照しつつ説明する。
本発明の接続構造の実施例として、例えば図１乃至図３に図示した流し台に用いられる接続構造がある。以下に図３に示した流し台１４に用いられる接続構造を、図面を参照しつつ説明する。
図１乃至図３の接続構造は、以下に記載する台所の流し台１４において用いられる。
本実施例は、流し台１４と、槽体１と、排水口２と、排水トラップ１０と、排水管１３と、から構成される。
流し台１４は、台所に備えられる生活機器であって、その上面に後記する槽体１を備える箱体であって、箱体内部には洗剤や鍋などを収納するキャビネット１５を備え、キャビネット１５内に挿通する扉を備える。
槽体１は流し台１４上面に備えられる人工大理石製の上部が開口した箱体であって、槽体１の上部に備えられた水道蛇口からの水を貯水／排水する部材である。
排水口２は、槽体１底面に開口される孔であって、槽体１内部の排水を槽体１外部へと排出するための円形の開口であり、本実施例での開口は約１８０ｍｍの直径を有している。当該排水口２は、後記する排水器具４を取り付ける孔であり、槽体１内部の排水を最終的には下水へと排水されるように構成されて成る。また、排水口２の裏面には、内部に雌ねじを螺設したねじ孔６を複数構成し、更には槽体１の排水口２付近は当該ねじ孔６のねじ代分の肉厚を備えて構成される肉厚部７を備える。
排水器具４は、排水トラップ１０と、フランジ部９と、排出口１２から構成される。
排水トラップ１０は、内部に排水を貯水して下水からの臭気や害虫を室内側へと逆流することを防止する封水１１を備えるものである。
フランジ部９は、排水トラップ１０上端に外側方向に鍔状に凸出して一体的に構成される構成要素である。尚、当該フランジ部９には、前記した槽体１の排水口２裏面のねじ孔６に対応した数のねじ孔６を開口して成り、更にはフランジ部９の外縁から上方に凸出して構成される位置決め用ガイド８を構成してなる。
排出口１２は、排水トラップ１０最下流に備えられた開口であって、排水トラップ１０内に流入した排水を排水トラップ１０外へと排出する開口である。
排水管１３は、排水トラップ１０の排出口１２に接続される管体であって、最終的には下水管へ接続される。
【００２５】
本実施例の排水器具４の接続構造は以下のように接続される。
図２に示したように、槽体１の排水口２裏面から、排水器具４のフランジ部９の位置決め用ガイド８を排水口２裏面のねじ孔６肉厚部７に水密部材を介して合致させる。このとき、フランジ部９の位置決めガイドが排水口２のねじ孔６と排水器具４のフランジ部９のねじ孔６が合致するように排水口２の肉厚部７に位置決めされるので、ねじ孔６同士の位置決めをわざわざ行う必要がない。そして、このようにねじ孔６同士の位置決めが行われた後、槽体１裏面の排水器具４のフランジ部９から雄ねじ６ａを挿通させ、槽体１の肉厚部７のねじ孔６の雌ねじに螺合させる。このようにすると、排水口２の裏面からねじ６ａを螺合させることで槽体１の排水口２と排水器具４が取り付けることが出来る。このとき、排水器具４は槽体１裏面の排水口２に接続されているので、槽体１の上面の排水口２から排水器具４のフランジ部９が露出することがないので、槽体１の排水口２外面には段差や凹凸がない形状となり、当該段差に汚物や異物が付着するようなことがない。また、汚れが付着しないことや排水口２付近に段差や凹凸が無くなったことにより、槽体１の外観も良くなり、意匠性も向上する。
【００２６】
本実施例の排水器具４の接続構造は以下のような排水の流れとなる。
槽体１内に発生した排水は、槽体１の排水口２から排水器具４内に流入し、そのまま排水トラップ１０の封水１１を介して排出口１２から排水器具４の外部に排出され、排水管１３を介して下水管へと排出される。
【００２７】
次に、第２実施例の接続構造に関しては、例えば図４乃至図６に図示した洗面台における接続構造がある。以下に図６に示した洗面台２５の接続構造の第２実施例を、図面を参照しつつ説明する。
図４乃至図６に示した接続構造は、以下に記載する洗面台２５において用いられる。
本実施例の接続構造は、洗面台２５と、槽体１と、排水口２と、排水器具４と、取付口３と、遠隔操作式排水栓装置１６と、排水管１３と、から構成される。
洗面台２５は、洗面所に備えられる生活機器であって、その上面に後記する槽体１を備える箱体であって、箱体内部には洗剤などを収納するキャビネット１５を備え、キャビネット１５内に挿通する扉を備える。
槽体１は洗面台２５上面に備えられる陶器製の上部が開口した箱体であって、槽体１の上部に備えられた水道蛇口からの水を貯水／排水する部材である。
排水口２は、槽体１底面に開口された孔であって、槽体１内の排水を外部に排出するための開口である。また、後記する排水栓を内部に備える。
排水器具４は、一般的には排水栓と呼ばれる部材であって、排水口２に取り付けられる部材であり、その下端に後記する排水管１３が接続される。
取付口３は、槽体１の上縁に開口された孔であり、後記する遠隔操作式排水栓装置１６の操作部５が取り付けられる。そして、取付口３裏面には、内部に雌ねじを螺設したねじ孔６が複数開口されている。
遠隔操作式排水栓装置１６は、弁体２４、操作部５、レリースワイヤ１７、から構成される。
弁体２４は、排水口２内部に備えられ、自身の上下作動により排水口２を開栓／閉栓する部材である。
操作部５は、軸部２０と、ツマミ部２１と、軸受け部２２と、フランジ部９と、から構成されている。
軸部２０は、棒状であって、使用者が作動させるツマミ部２１をその上端に備える。
軸受け部２２は、前記軸部２０を上下動可能に収納する縁筒状の部材であり、フランジ部９、軸ぶれ防止部２３、を構成して成る。
フランジ部９は、軸受け部２２上端に構成され、外側方向に凸出する鍔状の部材であり、本実施例では軸受け部２２に一体的に構成される。そして、当該フランジ部９には、前記取付口３裏面に構成された複数のねじ孔６と同数のねじ孔６を開口して成る。
軸ぶれ防止部２３は、軸受け部２２の上端、フランジ部９から更に上方に凸出する飛び出しであって、軸受け部２２の軸部２０が摺動可能に挿通する開口を有し、さらにその外径は、槽体１の取付口３の内周径より小径に構成される。
レリースワイヤ１７は、円筒状のアウターチューブ１９と、アウターチューブ１９内を摺動可能に配置される、金属製の圧縮コイルのインナーワイヤ１８から構成される。そして、当該レリースワイヤ１７の一端は操作部５の軸部２０下端に接続され、他方の端部は排水栓若しくは排水管１３を水密的に介して弁体２４下方に接続される。そして、インナーワイヤ１８の端部は操作部５の軸部２０と、弁体２４下方にそれぞれ連絡されているので、操作部５の軸の動きによりインナーワイヤ１８が軸部２０の作用に併せて連絡するように作動し、そのまま弁体２４下方に動きが伝達されるので、インナーワイヤ１８の作動に併せて弁体２４が上下動するように構成される。
排水管１３は、排水器具４である排水栓に接続される管体であって途中箇所にその管体をＵ字状に屈曲させて、その内部に封水１１と呼ばれる排水を一時排水トラップ１０と呼ばれる、内部に排水を貯水して下水からの臭気や害虫を室内側へと逆流することを防止する封水１１を備える排水トラップ１０を構成している。
【００２８】
本実施例の接続構造は以下のように取り付けられる。
図５に示したように、槽体１の排水口２に排水器具４である排水栓を付け、排水栓の下流には排水管１３及び排水トラップ１０を接続する。
そして、操作部５の軸受け部２２を軸部２０を内部に備えられた状態で、槽体１の取付口３裏面に軸受け部２２のフランジ部９の上面を合致させる。このとき、軸ぶれ防止部２３を槽体１の取付口３内挿通させる。このように槽体１取付口３と軸受け部２２フランジ部９上面を合致させ、この状態のまま槽体１取付口３とフランジ部９両者のねじ孔６に雄ねじを螺合させると、ねじ６ａにより槽体１取付口３と軸受け部２２は強固に取り付けられる。このとき、操作部５は槽体１裏面の取付口３に接続されているので、槽体１の上面の取付口３から操作部５のフランジ部９が露出することがないので、槽体１の取付口３外面には段差や凹凸がない形状となり、当該段差に汚物や異物が付着するようなことがない。また、汚れが付着しないことや取付口３付近に段差や凹凸が無くなったことにより、槽体１の外観も良くなり、意匠性も向上する。
また、操作部５下端にレリースワイヤ１７の一端を接続し、他端を排水管１３を介して弁体２４下方に接続する。このとき、インナーワイヤ１８は軸部２０下端及び弁体２４と直接的若しくは間接的に連絡するように接続される。
【００２９】
本実施例の接続構造は以下のような排水の流れとなる。
槽体１内に発生した排水は、槽体１の排水口２から排水器具４である排水栓内に流入し、そのまま排水管１３を経て排水トラップ１０内に流入する。排水トラップ１０内に流入した排水は、排水トラップ１０の封水１１を介して最終的には下水管へと排出される。
また、本実施例の遠隔操作式排水栓装置１６は以下のような作動となる。
操作部５の、ツマミが備えられた軸部２０の上下動をインナーワイヤ１８が直接的若しくは間接的に弁体２４に伝達し、弁体２４が下降する。この時、排水口２は弁体２４により閉口されている為、槽体１内に貯水を行うことが可能である。この状態の時に再度操作部５に使用者が操作を加えると、再度操作部５の軸部２０の上下動がインナーワイヤ１８により直接的若しくは間接的に弁体２４に伝達し、弁体２４が上昇することにより排水口２が開口され、槽体１内の排水は排水口２から排水管１３へと排出される。このようにして遠隔操作式排水栓装置１６は作動・作用する。
【００３０】
また、本発明の実施例は上記に記載した実施例のほかにも、特許請求の範囲を逸脱しない範囲で適宜変更が可能である。
例えば、前記実施例では排水口２又は取付口３の形状を円形状としているが、排水口２又は取付口３の形状を円形状以外の形状としてもよい。本発明ではねじ止めにより排水器具４や操作部５を取り付けるので、排水口２又は取付口３の形状にあわせてより多様な形状とすることができ、より意匠性が向上した。
また、前記実施例では、排水口２は槽体１の底面に開口されているが、槽体１底面から槽体１底面に係るように構成されていても構わない。
【図面の簡単な説明】
【００３１】
【図１】本発明の第１実施例を示す断面図である。
【図２】本発明の第１実施例を示す分解断面図である。
【図３】本発明の第１実施例の施工状態を示す断面図である。
【図４】本発明の第２実施例を示す断面図である。
【図５】本発明の第２実施例を示す分解断面図である。
【図６】本発明の第２実施例の施工状態を示す断面図である。
【図７】従来例を示す断面図である。
【図８】従来例を示す断面図である。
【図９】従来例を示す断面図である。
【図１０】従来例を示す断面図である。
【符号の説明】
【００３２】
１    槽体
２    排水口
３    取付口
４    排水器具
５    操作部
６    ねじ孔
６ａ  ねじ
７    肉厚部
８    位置決め用ガイド
９    フランジ部
１０  排水トラップ
１１  封水
１２  排出口
１３  排水管
１４  流し台
１５  キャビネット
１６  遠隔操作式排水栓装置
１７  レリースワイヤ
１８  インナーワイヤ
１９  アウターチューブ
２０  軸部
２１  ツマミ部
２２  軸受け部
２３  軸ぶれ防止部
２４  弁体
２５  洗面台
【図１】
2008240258.tif 000003
【図２】
2008240258.tif 000004
【図３】
2008240258.tif 000005
【図４】
2008240258.tif 000006
【図５】
2008240258.tif 000007
【図６】
2008240258.tif 000008
【図７】
2008240258.tif 000009
【図８】
2008240258.tif 000010
【図９】
2008240258.tif 000011
【図１０】
2008240258.tif 000012